(57)【要約】【課題】  光ネットワークシステムにおいて、波長パスの接続確認と追跡を、高速かつ特別な装置を導入することなく、低コストで実行できるようにする。【解決手段】  ＮＭＳ４内の波長パス監視手段１３は、光送受信ノード２（ＴＸ）からの光信号Ｓに対し、変位生成手段１１を介して例えば光パワーの一時的な変位を与える。この光パワーの変位が光伝送路５を伝搬して、途中の各ノード３にて現れることを変位検出手段１２にて確認していく。この変位の有無を確認しながら、波長パスの接続確認と追跡を実行する。【選択図】      図１
2006050143.tif 000002
【特許請求の範囲】
【請求項１】
光信号の光送受信端局をなす光送受信ノードと、該光信号の光方路を切り替える光方路切替ノードと、これらのノードおよびこれらのノード間を接続する光伝送路を統合管理するネットワークマネジメントシステムと、を備えてなる光ネットワークシステムにおいて、
前記光送受信ノードから送信される前記光信号に対しその光伝送特性を一時的に変位させる変位生成手段と、
各前記光方路切替ノードにおける複数の入力ポートおよび出力ポートにおいて前記光伝送特性の変位が現れたか否かを検出する変位検出手段と、
前記ネットワークマネジメントシステムが保持するネットワーク構成情報をもとに監視対象とする波長パスが通過する被監視光方路切替ノードとその入力ポートおよび出力ポートのみを抽出すると共に、抽出された各該被監視光方路切替ノードについて前記変位検出手段により得た変位検出結果に基づいて、当該入力ポートおよび出力ポートの全てに該変位が現れたことを確認して、当該監視対象波長パスの接続確認ならびに追跡を実行する波長パス監視手段と、
を備えることを特徴とする光ネットワークシステム。
【請求項２】
前記光伝送特性は、前記光信号が有する、（ａ）光パワー、（ｂ）波長、（ｃ）偏波および（ｄ）雑音光パワー、の各特性のうちの少なくとも１つであって、前記変位生成手段はそれぞれ、（ａ）光パワー変位手段、（ｂ）波長変位手段、（ｃ）偏波変位手段および（ｄ）雑音光パワー変位手段のうちの少なくとも１つであることを特徴とする請求項１に記載の光ネットワークシステム。
【請求項３】
前記波長パス監視手段は、前記の抽出した被監視光方路切替ノードとその入力ポートおよび出力ポートを記録して保存する監視テーブルを有することを特徴とする請求項１に記載の光ネットワークシステム。
【請求項４】
光信号の光送受信端局をなす光送受信ノードと、該光信号の光方路を切り替える光方路切替ノードと、これらのノードおよびこれらのノード間を接続する光伝送路を統合管理するネットワークマネジメントシステムと、を備えてなる光ネットワークシステムにおいて、
前記光送受信ノードから送信される前記光信号に対しその光伝送特性を一時的に変位させる変位生成手段と、
各前記光方路切替ノードにおける複数の入力ポートおよび出力ポートにおいて前記光伝送特性の変位が現れたか否かを検出する変位検出手段と、
前記ネットワークマネジメントシステムにおいて、監視対象とする波長パスを決定し決定された該波長パスの送信端局となる前記光送受信ノードにて前記変位生成手段を起動させ、全ての前記光方路切替ノードから通知された前記変位検出手段による変位検出結果に基づいて、該波長パスが通過する全ての光方路切替ノードを特定することにより、当該監視対象波長パスの接続確認ならびに追跡を実行する波長パス監視手段と、
を備えることを特徴とする光ネットワークシステム。
【請求項５】
前記波長パス監視手段は、各前記変位検出手段による前記変位の検出開始時刻の情報を収集し、これらの検出開始時刻の先後から、前記の特定された光方路切替ノードの当該波長パスに沿った接続順序を決定して、前記の波長パスの接続確認ならびに追跡を実行することを特徴とする請求項４に記載の光ネットワークシステム。
【請求項６】
前記波長パス監視手段は、前記の特定された光方路切替ノードと前記変位の検出開始時刻とを対応させた監視テーブルを有することを特徴とする請求項５に記載の光ネットワークシステム。
【請求項７】
光信号の光送受信端局をなす光送受信ノードと、該光信号の光方路を切り替える光方路切替ノードと、これらのノードおよびこれらのノード間を接続する光伝送路を統合管理するネットワークマネジメントシステムとを備えてなる光ネットワークシステム内の前記光送受信ノードであって、
送信される前記光信号に対し、前記ネットワークマネジメントシステムからの指令に応じて、その光伝送特性を一時的に変位させる変位生成手段を備えることを特徴とする光送受信ノード。
【請求項８】
光信号の光送受信端局をなす光送受信ノードと、該光信号の光方路を切り替える光方路切替ノードと、これらのノードおよびこれらのノード間を接続する光伝送路を統合管理するネットワークマネジメントシステムとを備えてなる光ネットワークシステム内の前記光方路切替ノードであって、
前記光信号を受信した前記光方路切替ノードにおける複数の入力ポートおよび出力ポートに、該光信号の伝送特性の一時的な変位が現れるか否かを検出する変位検出手段を備えることを特徴とする光方路切替ノード。
【請求項９】
光信号の光送受信端局をなす光送受信ノードと、該光信号の光方路を切り替える光方路切替ノードと、これらのノードおよびこれらのノード間を接続する光伝送路を統合管理するネットワークマネジメントシステムとを備え、かつ、該光方路切替ノードはその複数の入力ポートおよび出力ポートにおいて該光信号の伝送特性の一時的な変位が現れるか否かを検出するようにした光ネットワークシステム内の前記ネットワークマネジメントシステムであって、
予め保持するネットワーク構成情報をもとに監視対象とする波長パスが通過する被監視光方路切替ノードとその入力ポートおよび出力ポートのみを抽出すると共に、抽出された各該被監視光方路切替ノードについて前記変位の検出結果に基づいて、当該入力ポートおよび出力ポートの全てに該変位が現れたことを確認して、当該監視対象波長パスの接続確認ならびに追跡を実行する波長パス監視手段を備えることを特徴とするネットワークマネジメントシステム。
【請求項１０】
光信号の光送受信端局をなす光送受信ノードと、該光信号の光方路を切り替える光方路切替ノードと、これらのノードおよびこれらのノード間を接続する光伝送路を統合管理するネットワークマネジメントシステムとを備え、かつ、該光送受信ノードは送信する前記光信号の光伝送特性を一時的に変位させると共に該光方路切替ノードはその複数の入力ポートおよび出力ポートにおいて該変位が現れるか否かを検出するようにした光ネットワークシステム内の前記ネットワークマネジメントシステムであって、
前記光ネットワークシステム内において監視対象とする波長パスを決定し決定された該波長パスの送信端局となる前記光送受信ノードにて前記変位を生じさせ、全ての前記光方路切替ノードから通知された前記変位の検出結果に基づいて、該波長パスが通過する全ての光方路切替ノードを特定することにより、当該監視対象波長パスの接続確認ならびに追跡を実行する波長パス監視手段を備えることを特徴とするネットワークマネジメントシステム。
【発明の詳細な説明】
【技術分野】
【０００１】
本発明は光（フォトニック）ネットワークシステム、特に光方路切替機能を有する複数の光方路切替ノードを含んで構築された光ネットワークシステムに関し、より具体的には、その光ネットワークシステム内において、送信側の光送受信端局をなす一方の光送受信ノードから、受信側の光送受信端局をなす他方の光送受信ノードに至る波長パスが特定されたとき、この波長パスが、この波長パスに沿って通過すべき一連の上記光方路切替ノードを全て指定どおりに通過して接続されているか否かを確認し追跡するための波長パス監視、すなわち「波長パスの接続確認」および「波長パスの追跡」に関する。
【０００２】
ここに、「波長パスの接続確認」とは、上記波長パス上にある各光方路切替ノードにおいて、各該ノードが有する複数の入力ポートと複数の出力ポートとの間で正しく経路設定がなされているか否かを確認することを基本的に意味し、また「波長パスの追跡」とは、送信された光信号がどういう順序で各光方路切替ノードを通過していくかということを確認することを基本的に意味する。
【背景技術】
【０００３】
上記光ネットワークシステムの適用範囲は、例えば長距離幹線系、メトロコア、メトロアクセスなどのように非常に広い。そのネットワーク構成は、当初のいわゆるpoint-to-point構成に始まって、現在では、光信号を光電変換することなく光のまま光分岐挿入や光方路切替をそれぞれ行うＯＡＤＭ（Optical Add/Drop Multiplexing）ノードや光方路切替ノードを用いたいわゆるリング型構成あるいはメッシュ型構成へと発展しており、このようなネットワーク構成の実現によって、従来よりも一層柔軟でかつ信頼性の高いネットワークの運用が可能となりつつある。
【０００４】
ここで上記光ネットワークシステムにおける上述した波長パス監視について、その従来技術を検討する。かかる従来の波長パス監視技術としては、下記の従来技術“Ａ”、従来技術“Ｂ”および従来技術“Ｃ”などが既に公知となっている。
【０００５】
（ａ）従来技術“Ａ”は、上記光方路切替ノードが有する複数の入力ポートおよび出力ポートにおいて、光分岐を用いてＷＤＭ（Wavelength Division Multiplexing）光信号より光パワーの一部を取り出し、これを例えば光スペクトルモニタ（ＯＳＭ：Optical Spectrum Monitor）に入力して、該ＷＤＭ光信号の波長と光パワーとを測定する。そして上記入力ポートでの波長と上記出力ポートでの波長とを該ＯＳＭにて測定し両者を比較して、その一致を確認することにより、各該光方路切替ノード内における「波長パスの接続確認」を行うという手法、すなわち、波長パス識別子として波長情報のみを用いた波長パス監視手法である。
【０００６】
（ｂ）従来技術“Ｂ”は、上記光方路切替ノードが有する複数の入力ポートおよび出力ポートにおいて、光分岐を用いてＷＤＭ光信号より光パワーの一部を取り出し、さらにその中から、例えば可変型光フィルタや光分岐器などを用いて、一つの波長だけを取り出す。そしてその取り出した一波長の光信号について、ＳＯＮＥＴ／ＳＤＨ検出器を用いることによって、ＳＯＮＥＴ／ＳＤＨのオーバーヘッド内におけるいわゆるＪ１バイトおよびＪ２バイトの内容を解析し、この解析によって「波長パスの接続確認」を行うという手法、すなわち、ＳＯＮＥＴ／ＳＤＨにおけるオーバーヘッド内の特定バイトを利用した波長パス監視手法である。
【０００７】
（ｃ）従来技術“Ｃ”は、上述した光送受信ノードまたは光方路切替ノードにおいて、光主信号に対し、パイロットトーン専用の変調器を用いて、波長パス情報としてのパイロット信号を重畳する。一方、これを受信する光送受信ノードまたは光方路切替ノードにおいて、パイロットトーン専用の復調器を用いて、その光主信号に重畳している上記パイロット信号を、波長パスの識別子として検出する。このようにして、ＷＤＭの各波長ごとに、振幅、周波数または位相が異なる種々のパイロット信号を識別子として用い、各波長ごとの「波長パスの接続確認」を行うという手法、すなわち、光主信号に低周波アナログ信号のパイロット信号を重畳し、これを波長識別子として利用した波長パス監視手法である。
【０００８】
上述した手法（従来技術“Ａ”，“Ｂ”および“Ｃ”）のいずれかを用いて取得した「ノード内の接続情報」と、上記ネットワークマネジメントシステム（ＮＭＳ：Network Management System）が予め保持している、各上記ノードと光伝送路（光ファイバ）との結線情報を含む「ネットワーク構成情報」とを照合し当該光信号のパスを特定していけば、上述の「波長パスの追跡」も実行することができる。
【０００９】
なお、本発明に関連する公知文献としては、例えば下記の〔特許文献１〕〜〔特許文献３〕があり、〔特許文献１〕は光路切替装置の入出力ポートにおける光接続の監視において、光の識別子として光レベルを用いることを開示しており（上述の従来技術“Ａ”に類似）、〔特許文献２〕は波長をノード間の経路情報として割り当てて光ネットワークを構成する光クロスコネクトシステムにおいて、光パスの設定状況を簡易に監視できるようにすることを開示しており、〔特許文献３〕は波長多重光伝送システムにおいて、接続の正常性を確認できるようにすることを開示している。
【００１０】
【特許文献１】特開２０００−６９５１０号公報
【特許文献２】特開平８−２８８９０５号公報
【特許文献３】特開２０００−１８３８５３号公報
【発明の開示】
【発明が解決しようとする課題】
【００１１】
（ａ）従来技術“Ａ”における問題点
後に図２０を参照して詳しく説明するように、光ネットワーク内においては、異なる光伝送路であれば同一波長の波長パスが複数存在し得る。このため、１つの光方路切替ノードにおいて異なる複数の入力ポートに、同一波長の波長パスが同時に接続される場合があり得る。このため、上記波長情報のみでは同一波長を有する異なる波長パス相互間の識別ができない、という問題がある。また図２０の（ｂ），（ｃ）に示すように「光方路切替制御の誤り」や「光ファイバのノード間での誤接続」に起因する、「波長パス接続の誤り」を検出できない場合がある、という問題がある。
【００１２】
（ｂ）従来技術“Ｂ”における問題点
各光信号の波長パス接続情報を一度に確認しようとすると、上記光方路切替ノードの各入力および出力ポートにおいて、ＷＤＭ光信号の光パワー分岐および波長分波を行って上記ＳＯＮＥＴ／ＳＤＨ検出器に光信号を入力する必要があり、また波長の増設があればそれに応じて当該分岐および分波を行ってＳＯＮＥＴ／ＳＤＨ検出器につなげる必要があるから、各ノードの装置規模とコストが膨大になってしまう、という問題がある。
【００１３】
逆に、一台のＳＯＮＥＴ／ＳＤＨ検出器で波長パスの接続確認を行おうとすると、上記の規模とコストの増大は抑えられても、今度は全ポートについてその波長パスの接続確認を完了するまでに長時間を要してしまう、という問題がある。
【００１４】
（ｃ）従来技術“Ｃ”における問題点
上述したパイロットトーン専用の変調器と復調器が必要となり、光ネットワークの規模が拡大したとき、パイロット信号の管理が複雑になる、という問題がある。また、元々異なるベンダの装置によって構成されていた個別の光ネットワーク同士が、相互に接続されることになったような場合、ベンダ間で共通のパイロットトーン用の変調器と復調器とを備え、かつ共通のフォーマットを用いる必要がある。しかし、装置上の制約によりパイロットトーン用の変調器と復調器とを装備できないような場合には、パイロットトーンによる波長パス監視の実現そのものが難しくなる、という問題がある。
【００１５】
（ｄ）光信号フォーマットに起因する問題点
近年、ギガビットイーサネット（ＧｂＥ）や１０ＧｂＥの光インタフェースを、バックボーンネットワークの波長に直接収容するというような、フォーマット無依存の光ネットワークシステムの構築が提唱され始めている。このような光ネットワークシステムを想定した場合、例えば上記従来技術“Ｂ”のような、ＳＯＮＥＴ／ＳＤＨのオーバーヘッドを用いたフォーマット依存の波長パス接続確認手法は適用できない、といった問題がある。
【００１６】
（ｅ）ネットワーク規模の拡大に起因するＮＭＳの問題点
前述のとおり、上記のネットワークマネジメントシステム（ＮＭＳ）において予め取得している、各ノードと光ファイバとの間の結線情報などのネットワーク構成情報と、各ノードから収集したノード内の波長パス接続情報とを照合することによって上記の波長パス監視を実現しているが、そのネットワーク規模が拡大すると、ＮＭＳで管理すべきネットワーク構成情報、および、各ノードから収集するノード内接続情報もまた増大する。このため、ＮＭＳへの負荷が高まり、波長パス監視のための処理時間が増大するという問題がある。また、波長パスの監視のみならずＮＭＳが有する全機能の効率を低減させてしまう恐れもある。さらにまた新規にノードを導入した場合など、ＮＭＳでネットワーク構成情報を持ち合わせていない場合は、ノード内の接続確認はできても、ノード間の接続関係がわからないため、上記の「波長パスの追跡」そのものが困難になる、といった問題がある。
【００１７】
したがって本発明は、上記諸問題点を同時に解決することのできる光ネットワークシステムを提供することを目的とするものである。
【課題を解決するための手段】
【００１８】
図１は本発明に係る光ネットワークシステムの基本機能を表すブロック図である。
本図において、参照番号１は本発明に係る光ネットワークシステム全体を示す。本システム１は、光信号Ｓの光送受信端局をなす光送受信ノード２と、該光信号Ｓの光方路を切り替える光方路切替ノード３と、これらのノード２，３およびこれらのノード間を接続する光伝送路５を統合管理するネットワークマネジメントシステム（ＮＭＳ）４と、を備えてなる。なお本図では、光信号Ｓの送信側（ＴＸ）となる光送受信ノード２は左端のノード２（ＴＸ）とし、該光信号Ｓの受信側（ＲＸ）となる光送受信ノード２は右端のノード２（ＲＸ）とする。
【００１９】
上記光ネットワークシステム１の中に導入される本発明の基本機能は、図示する変位生成手段１１と、変位検出手段１２と、波長パス監視手段１３とによって実現される。なお、変位生成手段１１は、実用的には、光送受信ノード２（ＴＸ）内に形成され、変位検出手段１２も、実用的には、各光方路切替ノード内および光送受信ノード２（ＲＸ）内に形成される。これらの手段１１，１２および１３の各機能は次のとおりである。ただし、（Ｉ）第１の形態と（II）第２の形態とでは、その波長パス監視手段１３の機能が異なる。第１の形態は、ネットワークマネジメントシステム（ＮＭＳ）４内に前述したネットワーク構成情報を予め保持する場合、第２の形態はＮＭＳ４内に該ネットワーク構成情報を保持しない場合である。
【００２０】
（Ｉ）第１の形態
（ｉ）変位生成手段１１は、光送受信ノード２（ＴＸ）から送信される光信号Ｓに対しその光伝送特性を一時的に変位させる機能を有し、
（ii）変位検出手段１２は、各光方路切替ノード３における複数の入力ポートおよび出力ポート（図１９の９，１０参照）において光伝送特性の変位が現れたか否かを検出する機能を有し、
（iii）波長パス監視手段１３は、ネットワークマネジメントシステム（ＮＭＳ）４が保持するネットワーク構成情報をもとに監視対象とする波長パスが通過する被監視光方路切替ノード３とその入力ポートおよび出力ポートのみを抽出すると共に、抽出された各被監視光方路切替ノード３について変位検出手段１２により得た変位検出結果に基づいて、当該入力ポートおよび出力ポートの全てにその変位が現れたことを確認して、当該監視対象波長パスの接続確認ならびに追跡を実行する機能を有する。
【００２１】
一方、下記第２の形態は波長パス監視手段１３の機能のみが、上記第１の形態（Ｉ）と異なる。
【００２２】
（II）第２の形態
（iii）波長パス監視手段１３は、ネットワークマネジメントシステム（ＮＭＳ）４において、監視対象とする波長パスを決定し決定された波長パスの送信端局となる光送受信ノード２（ＴＸ）にて変位生成手段１１を起動させ、全ての光方路切替ノード３から通知された変位検出手段１２による変位検出結果に基づいて、その波長パスが通過する全ての光方路切替ノード３を特定することにより、当該監視対象波長パスの接続確認ならびに追跡を実行する機能を有する。
【００２３】
上述した第１の形態および第２の形態において、本発明の特徴の１つは、「光信号の光伝送特性を一時的に変位させる」ことにある。ここに光伝送特性とは、光信号Ｓが有する、（ａ）光パワー、（ｂ）波長、（ｃ）偏波および（ｄ）雑音光パワー、の各特性のうちの少なくとも１つである。したがって変位生成手段１１はそれぞれ、（ａ）光パワー変位手段、（ｂ）波長変位手段、（ｃ）偏波変位手段および（ｄ）雑音光パワー変位手段のうちの少なくとも１つである。さらに、変位生成手段１１は（ａ）、（ｂ）、（ｃ）、（ｄ）の変位を一時的に維持しても良い。
【００２４】
光伝送特性として例えば光パワーを選択したとすると、上記光パワー変位手段は光送受信ノード２（ＴＸ）から送信される光信号Ｓのパワーレベルを、一時的に、高くする。あるいは、一時的に、低くする。本発明はこの例の場合、パワーレベルの高／低変位が、波長パス上の光方路切替ノード３を経由して目的地である光送受信ノード２（ＲＸ）まで伝搬することを利用して、波長パスの接続確認と追跡を実行する。
【発明の効果】
【００２５】
（ｉ）前述した「光方路切替制御の誤り」や「光ファイバのノード間での誤接続」があってもその誤りを発見でき、
（ii）各ノード２，３の装置規模やコストを大幅に増大させることなく、また光信号のビットレートやフォーマットに全く依存することなく、さらにＮＭＳの負荷を大幅に増大させることなく、波長パス監視、すなわち「波長パスの接続確認」および「波長パスの追跡」を実行することができる。
【００２６】
このような利点が得られるのは、波長パスの識別子として、光信号Ｓの光パワーの変位、波長の変位、偏波の変位あるいは雑音光パワーの変位、といった基本的な光学特性のシンプルな操作を用いることに着目したからである。
【００２７】
この点は、例えば上記従来技術“Ｃ”のように低周波アナログ信号のパイロットトーンを用いる手法との大きな相違点である。すなわち、かかる従来技術“Ｃ”によれば、該パイロットトーンの変調器や復調器といった監視機構を必要とするが、本発明はきわめて単純な監視機構を導入するだけでよい。
かくして本発明によれば、上述した利点（ｉ）および（ii）を得ることができる。
【発明を実施するための最良の形態】
【００２８】
本発明の理解を早めるために、まず従来の光ネットワークシステムについてさらに詳しく説明し、その後で本発明の実施例について説明する。
【００２９】
図１６は電気交換機を適用した従来の光通信システムの一構成例を示す図である。
なお全図を通じて、同様の構成要素には同一の参照番号または記号を付して示す。したがって図１６においては、参照番号１〜５を付した構成要素は実質的に図１に示す対応の構成要素と同じであり、参照番号６を付した構成要素がここで始めて示される電気交換ノードである。この電気交換ノード６は上記の電気交換機によって構成される。
【００３０】
この電気交換機では、入力される光信号Ｓを電気信号に変換し、電気段で方路切替制御した後に、再びその電気信号を光信号Ｓに変換し、目的地に応じた方路へ向けて光信号Ｓを出力する。
【００３１】
かかる従来の電気交換機を適用した光通信システムでは、伝送フォーマットとしてＳＯＮＥＴ／ＳＤＨが多く用いられており、ＳＯＮＥＴ／ＳＤＨのパスオーバヘッドにおけるいわゆるＪ１，Ｊ２バイトを利用することによって、パス接続の確認を上記電気段で行うことが可能である。
【００３２】
一方、近年の光デバイス技術や光伝送技術の進展により、Ｏ／Ｅ／Ｏ（光／電気／光）を用いた電気段による再生中継を行わずに、数１０００kmに渡る光信号の長距離伝送が可能となっており、また、ＭＥＭＳ技術を用いた光マトリクススイッチや波長選択スイッチなどの光スイッチングデバイスの進展により、光信号を電気信号に変換することなく、そのまま方路切替を行うことが可能となった、などの理由により、光送信部から光受信部に至るまで電気信号に変換することなく、光信号のまま伝送する光（フォトニック）ネットワークが実現しつつある。このために光方路切替ノードが導入される。
【００３３】
図１７は上述した光方路切替ノードを適用した公知の光ネットワークシステムの一構成例を示す図である。なお本図の構成要素１〜５は、前述した図１の構成要素１〜５と実質的に同じである。
【００３４】
この図１７に示す、電気交換機に代えて波長単位で光方路切替えを行う光方路切替ノード３を適用した光ネットワークシステム１における上述した波長パス監視手法としては、前述した従来技術“Ａ”，“Ｂ”および“Ｃ”による手法があり、それぞれに既述した問題点を有している。この問題点を明らかにするために、本発明の前提をなす公知の光ネットワークシステムを図を用いて説明する。
【００３５】
図１８は本発明の前提をなす、ＮＭＳを用いた公知の光ネットワークシステムの一構成例を示す図である。
【００３６】
既に述べたネットワークマネジメントシステム（ＮＭＳ）がここで初めてブロック４として図示される。このＮＭＳ４は、光送受信ノード２、光方路切替ノード３、光伝送路５およびこれらの各ノードを統合管理し、ネットワーク全体で柔軟な運用を行う。各光送受信ノード２および光方路切替ノード３はＮＭＳ４に接続されており、各ノードへの監視制御信号はこのＮＭＳ４で一元管理することができる。
【００３７】
各光信号Ｓの波長をパスの単位とする光ネットワークシステムでは、その波長パス単位で光方路の切替制御を行う。かかる光ネットワークシステム１では、前述した光スペクトルモニタ（ＯＳＭ：Optical Spectrum Monitor）を用いた波長パスの監視を行う。これを図で説明する。
【００３８】
図１９は上記のＯＳＭを用いた波長パスの監視の一例を示す図であり、任意の１つの光方路切替ノード３の中に設けられたＯＳＭ７を示している。
【００３９】
光方路切替ノード３の主たる構成要素は主スイッチ（ＳＷ）８であり、入力ポート９から入力された各波長パスの光信号を、この主スイッチ８で方路切替えして所定の出力ポート１０から送出する。本図においては、３つの入力ポート９−ｉｎ１，ｉｎ２およびｉｎ３と３つの出力ポート１０−ｏｕｔ１，ｏｕｔ２およびｏｕｔ３を備えた例を示している。そして入力ポート９−ｉｎ１から波長λａおよびλｂの２つの光信号を入力し、また、入力ポート９−ｉｎ３から波長λｃの光信号を入力して、予め定めた方路切替情報に従って上記波長λｂおよびλｃの光信号を出力ポート１０−ｏｕｔ２に出力し、また、上記波長λａの光信号を出力ポート１０−ｏｕｔ３から出力する例を示している。
【００４０】
各入力ポート９にはいかなる波長の光信号が入力されているか、また、各出力ポート１０からいかなる波長の光信号が出力されているか、について監視するのが、ＯＳＭ７であり、例えば光分岐器により分岐された各ポートの光信号の一部を受光する。
【００４１】
本図の例のように光方路切替ノード３へ入力される光信号の波長が全て異なる場合、ＯＳＭ７を用いて該ノード３の入出力ポート９，１０の波長情報を監視することにより、比較的容易に該ノード内の波長パスの接続状態を確認することができる（前述の従来例“Ａ”参照）。
【００４２】
さらには、ＮＭＳ４が予め取得しているネットワーク構成情報と、各ノード３から収集したノード内波長パス接続情報とを照合することによって、波長パスの追跡を実現することができる。
【００４３】
しかし、既に（ａ）で述べたように、光ネットワークシステム内の異なる光伝送路５では同一波長の波長パスが複数存在する可能性がある。すなわち、光方路切替ノード３では、異なるポートから同一波長の波長パスが接続される場合がある。このとき、波長情報の監視のみでは、同一波長の異なる波長パスの識別ができない。このために、光方路切替制御誤りや光伝送路（ファイバ）の誤接続に起因する波長パスの接続誤りを検出することができない場合がある。これを図で説明する。
【００４４】
図２０は波長パスの接続誤りが発生する場合の２つの例を示す図である。
（ａ）まず本図の（ａ）に正しい接続例を示す。ここでの波長パスのモデルは、送信（ＴＸ）および受信（ＲＸ）側光送信ノード２の間で２つの光方路切替ノード３（Ａ，Ｂ）を経由するといったモデルを例示する。すなわち波長λのパスの設定経路は、
２（ＴＸ）→３（Ａ）→３（Ｂ）→２（ＲＸ）
である。
【００４５】
（ｂ）上記のようなモデルにおいて、光方路切替ノード３（Ａ）内における例えば光スイッチ８の誤動作によって、図示する「切替制御誤り」が発生した場合を表すのが、誤接続例１である。
【００４６】
このときのネットワーク構成は、光方路切替ノード３（Ａ）の２つの入力ポート９に、異なる光伝送路５，５′でありながら波長は共に同じλの２つの光信号が入力される、といった構成である。
【００４７】
このようなネットワーク構成において、上記「切替制御誤り」が発生したとすると、本図（ｂ）に示すような、同図（ａ）と異なる誤った経路設定がなされてしまうことがあり得る。このような場合、次段の光方路切替ノード３（Ｂ）の入力ポートにおいては、本来、光伝送路５を経由する波長パスに接続すべきところ（同図（ａ）参照）、誤って別の光伝送路５′を経由する波長パスに接続してしまう。
【００４８】
結局、上記（ｂ）の誤接続例１では、共に同一波長（λ）の別々の波長パス（５，５′）については、両者間の誤接続を検出することができない（既述の問題点の１つ）。
【００４９】
（ｃ）上述したようなモデルにおいて、光方路切替ノード３（Ａ）と同ノード３（Ｂ）との間で、例えば人為的作業ミスにより、図示する「光ファイバの接続誤り」が発生した場合が、誤接続例２である。
【００５０】
そうすると、光方路切替ノード３（Ｂ）の入力ポートでは、本来、光伝送路５を経由する波長に接続すべきところ（同図（ａ）参照）、誤って別の光伝送路５′を経由する波長パスに接続してしまう。
【００５１】
結局、上記（ｃ）の誤接続例２では、共に同一波長（λ）の別々の波長パス（５，５′）については、両者間の誤接続を検出することができない（上記と同じ問題点）。
【００５２】
以下、本発明をさらに詳細に説明するが、初めに本発明の特徴ならびに作用について要約し、その後で具体的な実施例について述べる。
【００５３】
本発明の特徴は、光伝送特性を監視する場合に取得できる、光パワー、波長、偏波、光ＳＮ比（ＯＳＮＲ：Optical Signal to Noise Ratio）すなわち雑音光パワー等の簡単な光学特性情報を波長パスの識別子として利用して、光ネットワークシステム１全体で光送受信ノード（ＴＸ−ＲＸ）２間における波長パスの接続確認および波長パスの追跡を実現することにある。
【００５４】
（Ｉ）まず、ＮＭＳ４で光ネットワークシステム１のネットワーク構成情報を持っている場合（既述の第１の形態）における波長パスの接続確認および波長パスの追跡手法を説明する。このネットワーク構成情報から、監視すべき波長パスが通過すべきノード３（被監視ノード）およびそのノードのポート番号をＮＭＳ４で認識し、そのポートのみを監視するように、ＮＭＳ４から各該被監視ノードに通知する。その後、監視すべき波長パスの光送信機において、上記光伝送特性の１つとして例えば光パワーの変位を起こさせ、該被監視ポートにおける光パワー変位の有無を確認し、その有無情報をＮＭＳ４に収集して分析することにより、光送受信ノード（ＴＸ−ＲＸ）２間における、目的とする波長パスの接続確認および波長パスの追跡を実行する。
【００５５】
（II）次に、ＮＭＳ４で光ネットワークシステム１のネットワーク構成情報を持っていない場合（既述の第２の形態）における波長パスの接続確認および波長パスの追跡手法を説明する。まず、監視すべき波長パスの光送信機において、上記光伝送特性の１つとして例えば光パワーの変位を起こさせ、光パワー変位の有無を監視することにより、光ネットワークシステム全体の中から、監視波長パスが通過すべきノード３およびそのポートを限定する。これらを限定して光パワー変位を一旦停止した後に、再び光パワー変位を起こす。この２度目の光パワー変位が伝搬するときに現れる各ノードごとの伝搬遅延により、各ノードごとに光パワーの変位が現れる時刻が異なることを利用して、その時刻情報をＮＭＳ４に収集して分析することにより、目的とする波長パスの追跡を実行する。かかる本発明での作用を要約すると次のとおりである。
【００５６】
一般的には、光ネットワークシステム全体に存在する全てのノードについて波長パス接続情報をＮＭＳ４に収集して分析するという手法が採られるが、この手法に比べ、本発明のように、予め限定した監視ノードおよび監視ポートのみについての接続情報をＮＭＳ４に収集して分析することにより、比較的高速に波長パスの接続確認および波長パスの追跡を実行することができる。
【００５７】
さらには、上記ネットワーク構成情報をＮＭＳ４で持たない場合であっても、波長パスの接続確認および波長パスの追跡を実行することができる。また、本発明による波長パスの接続確認および波長パスの追跡手法では、光伝送特性を監視する場合に取得できる、光パワー、波長、偏波、雑音光パワー等の光信号の基本的光学特性情報を、波長パスの識別子としている。したがって、波長パス監視のためだけの特別な専用装置を追加する必要がなく、省スペース性と低コスト性に優れるといった利点がある。さらなる利点としては、光信号のビットレートやフォーマットに無依存であること、ベンダ間の装置依存性がほとんどないことが挙げられる。
【００５８】
以下、本発明に基づく実施例を説明する。まず上記第１の形態（Ｉ）および第２の形態（II）に共通の実現手段について図に示す。
【００５９】
図２は本発明に係る第１および第２の形態に共通の実現手段を示す図である。
本図の構成は、既述した図１の構成を部分的に抜き出して示すものである。ただし、図１の変位検出手段１２は、各光方路切替ノード３の中に組み入れている。
【００６０】
まず、ネットワークマネジメントシステム（ＮＭＳ）４内の波長パス監視手段１３について見てみると、ここには監視テーブル１５と通知部１６とが設けられている。これら監視テーブル１５と通知部１６の機能は以下のとおりである。なお監視テーブル１５については、前述した（Ｉ）第１の形態（ＮＭＳ４にネットワーク構成情報を予め保持している形態）と（II）第２の形態（ＮＭＳ４内に該ネットワーク構成情報を保持していない形態）とで、その機能を異にする。
【００６１】
まず（Ｉ）第１の形態での監視テーブル１５（Ｉ）は、上記ネットワーク構成情報をもとに抽出された、波長パスが通過する被監視光方路切替ノード３とその入力ポート９および出力ポート１０を記録して保存する機能を有する。
【００６２】
一方、（II）第２の形態での監視テーブル１５（II）は、次のような機能を果たす。前述のとおり、ＮＭＳ４がまず監視すべき波長パスを決定し、その送信端局より光伝送特性の１つ例えば光パワーの変位を起こさせて、その光パワーの変位が検出された複数の光方路切替ノードを特定する。監視テーブル１５（II）は、このように特定された光方路切替ノードの各々とその変位の検出開始時刻とをそれぞれ対応させた情報を記録する。
【００６３】
次に、上記図２における通知部１６と転送部１７について見てみると、これら（１６，１７）は、上記（Ｉ）第１の形態においても（II）第２の形態においても実質的に同じ機能を果たす。
【００６４】
通知部１６は、各被監視光方路切替ノード３に対してそれぞれの変位検出手段１２による変位検出結果を報告すべきことを通知する機能を果たす。一方、転送部１７は、光方路切替ノード３から、ＮＭＳ４に対して上記の変位検出結果を転送する機能を果たす。
【００６５】
以下本発明に係る実施例を説明する。なお、変位させる上記光伝送特性として光パワーを採用した例について説明する。
【００６６】
（Ｉ）第１の形態（ＮＭＳ４がネットワーク構成情報を保持する）
図３は本発明に基づく、第１の形態における波長パス監視の一実施例を示す図である。なお本図のモデルは、前述した図２０のモデルに合わせている。したがって図３の下段は図２０（ａ）と同じである。この下段に示す送信側光送受信ノード２（ＴＸ）から受信側光送受信ノード２（ＲＸ）に向けて光信号Ｓが、光伝送路５に沿って送出され、その間、当該波長パス（λ）は光方路切替ノード３（Ａ）と３（Ｂ）を通過する。
【００６７】
ネットワークマネジメントシステム（ＮＭＳ）４の波長パス監視手段１３と、各ノード（２，３）との間には相互間の通信線（点線で示す）が張られており、
・被監視ポートの通知（ａ）、
・光パワー変位の開始の通知（ｂ）、
・光パワー変位の有無の通知（ｃ）、
・光パワー変位の終了（または復旧作業）の通知（ｄ）
等の情報が、既述の通知部１６と転送部１７との間でやりとりされる。
【００６８】
このうち主として上記の被監視ポートの通知（ａ）および光パワー変位の有無の通知（ｃ）により、監視テーブル１５（Ｉ）の内容が確定していく。本図の監視テーブル１５（Ｉ）の例では、ノード２（ＴＸ）の出力ポート（１０）ｏｕｔ１→ノード３（Ａ）の入力ポート（９）ｉｎ２→ノード３（Ａ）の出力ポート（１０）ｏｕｔ１→…→ノード２（ＲＸ）の入力ポート（９）ｉｎ１の波長パス上を、光パワーの変位が伝搬したときに、いずれのポートにもその光パワーの変位が確認されたこと（有）を表す。
【００６９】
図４は図３のモデルにおける波長パスの追跡手順を示すフローチャートであり、本図のフローチャートを参照しながら図３の説明を行う。
【００７０】
図３の実施例では、監視すべき波長パスが通過すべきノードおよび該ノードのポートのみを予め監視するように設定する。そして該波長パスの光送信機において光パワーの変位を起こさせ、当該被監視ポートにおいて光パワー変位の有無を確認する。これによって波長パスの接続確認および波長パスの追跡を実行する。以下にその手順を説明する。
【００７１】
＜１＞波長パスの接続確認および波長パスの追跡を行うべき波長パスを決定する（図４のステップＳ１１）。
【００７２】
＜２＞ＮＭＳ４では、監視すべきノードおよび該被監視ノードの入力ポートｉｎおよび出力ポートｏｕｔを記録した監視テーブル１５（Ｉ）を作成する（Ｓ１２）。
【００７３】
＜３＞ネットワーク構成情報を有するＮＭＳ４において、該波長パスが通過するノードよび該ノードの入力ポートおよび出力ポートをネットワーク構成情報から選択し、選択されたノード３およびポート（９，１０）を監視するようにＮＭＳ４から各ノード３へ通知する（Ｓ１３）。
【００７４】
＜４＞ＮＭＳ４より、波長パスの接続確認および波長パスの追跡を行うべき波長パスの光送信端局（ノード２（ＴＸ））に対して、一時的に光信号Ｓの光パワーを変位させるべき旨の制御命令を通知する（Ｓ１４）。なお、光パワー変位のための制御は、該波長パスの送信機の送信光源、または、光送信端局に備えたプリエンファシス用のＶＯＡ（Variable Optical Attenuator）を用いることができるが、これについては後に図１１および図１２において説明する。
【００７５】
＜５＞上記＜３＞で指定した監視ポイントにおいて、光スペクトラムモニタ（ＯＳＭ：Optical Spectrum Monitor）を用いて光パワーの変位を監視し、光パワーの変位の有無をＮＭＳ４へ通知し、ＮＭＳ４では、上記監視テーブル１５（Ｉ）にその光パワー変位の有無を記録する（Ｓ１５）。
【００７６】
＜６＞上記＜５＞において、全ての監視ポイントでの光パワー変位の「有」を確認した場合には（Ｓ１６のＹｅｓ）、正しい波長パスの接続が確認されたので、波長パスの追跡は完了する。
【００７７】
＜７＞そこでＮＭＳ４から光送信端局であるノード２（ＴＸ）に、光パワー変位の制御を終了すべきことを通知する（Ｓ１７）。これで波長パスの接続確認が完了する。
【００７８】
＜８＞上記＜６＞において、いずれかの監視ポイントで「有」の確認ができなかった場合（Ｓ１６のＮｏ）、いずれかで障害が発生しているのでその障害点を検出する（Ｓ１８）。
【００７９】
＜９＞上記障害点を検出したらその部分の修復（復旧）作業に入るが、その作業の実行が不能なときは（Ｓ１９のＮｏ）、上記Ｓ１７に至り、一方その作業の実行が可能ならば（Ｓ１９のＹｅｓ）、その修復作業を開始する（Ｓ２０）。障害復旧したら、上記Ｓ１５に戻り同様の操作を再開する。以下に、上記障害点検出の二例を図を参照して説明する。
【００８０】
図５は障害点検出の第１例を示す図である。本図は、既述した図２０（ｂ）の誤接続例１に相当し、また、
図６は障害点検出の第２例を示す図であって本図は、既述した図２０（ｃ）の誤接続例２に相当する。
【００８１】
図５においては、ノード３（Ｂ）において光スイッチ（図１９の８）の切替ミスが発生し、ノード３（Ａ）の出力ポート（１０）ｏｕｔ１より以降には、光パワー変位が現われない。一方図６においては、ノード３（Ｂ）で光ファイバの接続ミスが発生し、ノード３（Ｂ）の入力ポート（９）ｉｎ２より以降には光パワー変位が現われない。したがって、その光パワー変位が現われないポイントが障害点であるものと判定される。
【００８２】
すなわち、監視テーブル１５（Ｉ）に記録されている被監視ノードおよび該被監視ノードの入力ポート（９）で光パワー変位が検出されなかった場合は、該ノードより前の経路において障害（誤接続）が発生しており、また、該ノードの出力ポート（１０）で光パワー変位が検出されなかった場合は、該ノード内において障害（誤接続）が発生していることになる。
【００８３】
以上、図３〜図６を参照して説明した実施例が、本発明による第１の形態のもとでの波長パス監視手順を表す。この実施例において、同一ノードで、異なるポートより入力されている同一波長の光パワーが、同時に変位すると、波長パスの接続確認および波長パスの追跡が実行できない。このため、測定すべき波長（λ）のみの光パワーを変位させる必要がある。そこでＮＭＳ４は管理部１８（図３参照）にて光ネットワークシステム１内に存在する各光送信端局（ノード２）を管理し、ネットワーク上で同一波長の光パワーが変位していないことを管理部１８で確認した後に、ＮＭＳ４から光送信端局（ノード２）に光パワー変位の制御命令を通知する。このような管理部１８は、後述する（II）第２の形態の実施例でも採用される。
【００８４】
すなわち、管理部１８は、各波長パス上をそれぞれ転送される光信号Ｓの波長は相互に同一であるがそれぞれの光方路は相互に異なるような複数の波長パスが、光ネットワークシステム１内に存在するとき、これらの波長パスに与える上述の変位を同時には生じさせないように管理するものである。
【００８５】
一方、異なる波長の光パワーを同時に変位させることで、異なる波長を持つ複数の波長パスの接続確認および追跡を同時に実行することができる。また、波長パス識別子として、光パワー変位の他に、波長変位、偏波変位、雑音光パワー変位を用いることもできる。
【００８６】
この第１の形態のもとでの実施例では、ＮＭＳ４が持つネットワーク構成情報から、事前に監視すべきノードおよび該被監視ノードの入出力ポートを特定し、その後、波長パスの接続確認および波長パスの追跡を行うので、光ネットワークシステム内の全てのノード（２，３）の全てのポート（９，１０）を監視する必要がない。このため監視ポイントを大幅に減少でき、監視の高速性という点で優れている。また、波長パスの識別子として光パワー、波長、偏波等の基本的な光学特性を用いているので、前述した従来例“Ｃ”のようなパイロットトーンを用いた場合と比較して、監視制御のための専用の装置、例えばパイロットトーンの変調器や復調器を必要としない。したがって装置規模やコストの点で従来例よりも優れている。
【００８７】
（II）第２の形態（ＮＭＳ４がネットワーク構成情報を保持しない）
図７は本発明に基づく、第２の形態における波長パス監視の一実施例を示す図である。なお本図のモデルは、前述した図２０のモデルに合わせている。したがって図７の下段は図２０（ａ）と同じである。この下段に示す送信側光送受信ノード２（ＴＸ）から受信側光送受信ノード２（ＲＸ）に向けて光信号Ｓが、光伝送路５に沿って送出され、その間、当該波長パス（λ）は光方路切替ノード３（Ａ）と３（Ｂ）を通過する。
【００８８】
ネットワークマネジメントシステム（ＮＭＳ）４の波長パス監視手段１３と、各ノード（２，３）との間には相互間の通信線（点線で示す）が張られており、下り方向には
・光パワー変位を開始する旨の通知（ａ）、
・光パワー変位の終了の通知（ｃ）、
・光パワー変位の再開の通知（ｄ）、
・光パワー変位の終了（または復旧作業）の通知（ｆ）、
等の情報が前記の通知部１６から各ノードに転送され、上り方向には、
・光パワー変位を検出したノードの通知（ｂ）、
・光パワー変位を検出した時刻の通知（ｅ）、
等の情報が前記の転送部１７からＮＭＳ４へ送出される。
【００８９】
このうち主として上記通知（ｂ）および（ｅ）により、本図の監視テーブル１５（II）の内容が確定していく。
【００９０】
図８は図７のモデルにおける波長パスの追跡手順を示すフローチャートであり、本図のフローチャートを参照しながら図７の説明を行う。なお、図８の左半分は、波長パスを通過するノードを確認するプロセス「接続確認」であり、図８の右半分は、該波長パスを通過するノードを特定した後、各ノードが該波長パスに沿ってどのような順序で接続されているかを特定するプロセス「接続順序確認」である。
【００９１】
図７の実施例では、例えば、新規に装置を導入した場合など、すなわち、ＮＭＳ４が各ノード（２，３）と光ファイバ（５）の結線情報などのネットワーク構成情報を持っていない場合における、波長パスの接続確認および波長パスの追跡手法を示す。
【００９２】
この場合は、波長パスの接続確認および波長パスの追跡の他に、ＮＭＳ４で認識していない各ノード間の光ファイバ結線情報を確認する必要がある。なお、波長パスの接続確認、波長パスの追跡および光ファイバ結線状態の確認を行うにあたり、各ノード（２，３）とＮＭＳ４は相互に通信可能な状態にある。また、ＮＭＳ４経由で各ノードが持つ時刻相互には完全に同期が取れている必要がある。図８も参照しながら、以下にその手順を説明する。
【００９３】
＜１＞波長パスの接続確認および波長パスの追跡を行うべき波長パスを決定する（図８のステップＳ２１）。
【００９４】
＜２＞ＮＭＳ４より該波長パスの光送信端局であるノード２（ＴＸ）に対し、光信号Ｓの光パワーを変位させるための制御命令を発信する（Ｓ２２）。
【００９５】
＜３＞光ネットワークシステム１内の全てのノードの全てのポートについて、既述のＯＳＭを用いて光パワーの変位を監視する。その光パワーの変位を検出したときは、そのノードおよびそのノードのポートをＮＭＳ４に対して通知する（Ｓ２３）。
【００９６】
＜４＞監視対象となる波長パスの光送信端局であるノード２（ＴＸ）に対し、光パワー変位の制御を停止すべき旨の命令を通知する（Ｓ２４）。
【００９７】
＜５＞上記＜３＞の結果より、上記の光パワー変位を検出したノードおよびそのポートの情報を、ＮＭＳ４内の監視テーブル１５（II）に保存する（Ｓ２５）。
【００９８】
＜６＞時刻同期手段１９により、対象となる全ノードとＮＭＳ４との間の時刻を同期させる（Ｓ２６）。
【００９９】
＜７＞上記＜５＞の監視テーブル１５（II）に記録されノードおよびそのノードのポートを監視するように、ＮＭＳ４から監視対象となる各ノードへ通知し、ＮＭＳ４より監視対象となる波長パスの光送信端局であるノード２（ＴＸ）に対し、光信号パワーを変位すべき旨の制御命令を通知する（Ｓ２７）。
【０１００】
＜８＞各ノードにおいて、光パワーが変位を開始した時刻を監視し、その時刻をＮＭＳ４へ通知する（Ｓ２８）。
【０１０１】
＜９＞ＮＭＳ４では、上記＜８＞により収集した光パワーの変位時刻をもとにして（図７の監視テーブル１５（II）参照）ノード２（ＴＸ）からノード２（ＲＸ）までの間の各ノード３の接続順序を確定する。これによりネットワーク構成情報が完成する。
【０１０２】
なお前述の（Ｉ）第１の形態におけるプロセス＜８＞および＜９＞ならびに図４のステップＳ１８，Ｓ１９およびＳ２０、すなわち、障害点検出ならびに障害復旧の手順については、そのまま本第２の形態に準用する。
【０１０３】
以上、図７および図８を参照して説明した実施例が、本発明による第２の形態のもとでの波長パス監視手順を表す。この実施例では、光信号Ｓの伝搬遅延時間を利用した、各ノード間の接続情報の獲得が特徴となる。したがって前記の時刻同期手段１９が重要な構成要素の１つとなる。図７ではこの時刻同期手段１９をＮＭＳ４内に示したがその設置位置はＮＭＳ４外でも構わない。いずれに配置されるにしても、各光方路切替ノード３内における時刻と、波長パス監視手段１３内における時刻との間の同期をとるための時刻同期手段２９を備えることが大事である。
【０１０４】
ここで、各ノード（２，３）間の時刻同期は、ＧＰＳ（Global Positioning System）を用いることにより数マイクロ秒程度の誤差で実現できる。また、ＧＰＳを用いない手法もある。ＮＭＳ４から各ノード（２，３）に同時に信号を送り、信号を受け取ったノード２，３からＮＭＳ４に対して折り返し信号を送る。各ノードからの折り返し信号がＮＭＳ４に到達する時刻を管理して、ＮＭＳ４と各ノード（２，３）間の伝搬遅延を補正することにより、ノード間の高精度な時刻同期が可能となる。
【０１０５】
上述した本実施例（図７、図８）によれば、波長パス監視手段１３は、各変位検出手段１２による上述した変位の検出開始時刻の情報を収集し（図８のＳ２８）、これらの検出開始時刻の先後から、図８のＳ２１〜Ｓ２３により特定された光方路切替ノード３の当該波長パスに沿った接続順序を決定して（図８のＳ２９）、波長パスの接続確認ならびに追跡を実行することができる。
【０１０６】
以上の実施例では、種々の光伝送特性のうち光パワーを例にとって、光伝送特性の一時的な変位について説明してきたが、本発明で採用することのできる光伝送特性の変位としてはこの他、波長変位、偏波変位、雑音光パワー変位等があることについては前述したとおりである。
【０１０７】
上述した各種の光伝送特性のうち、波長変位および偏波変位については、送信側のノード２（ＴＸ）から受信側のノード２（ＲＸ）に至るまで、途中のノード３の段数に拘らず、それらの変位はほとんど変化することなく伝搬する。
【０１０８】
ところが光パワー変位については、光ネットワーク中に必ず存在する各光増幅器（２２）により、光信号Ｓの伝搬に伴って該光パワー変位の情報が徐々に失われる可能性がある。これは、光増幅器の出力を所望のレベルに維持するためのＡＬＣ（Automatic Level Control）制御機能、または入力される光信号に一定のゲインを与えるためのＡＧＣ（Automatic Gain Control）制御機能に起因する。このように光パワー変位の情報が徐々に失われることを防ぐために、次のような対策を講じることができる。
【０１０９】
この対策を必要とするのは、光信号Ｓを増幅すると共にＡＬＣ制御で動作する光増幅器を光ネットワークシステム１内に有し、かつ、変位生成手段１１が上記光伝送特性の変位として光パワーの変位を生成する手段である場合であって、
（ｉ）第１の対策においては、該変位生成手段１１は、そのＡＬＣ制御の応答速度よりも速い速度で光パワー変位を生成するようにし、
（ii）第２の対策においては、波長パス監視手段１３の動作開始時に光増幅器をＡＬＣ制御からＡＧＣ制御に切り替えると共に、変位生成手段１１は、そのＡＧＣ制御の応答速度よりも遅い速度で光パワー変位を生成するようにする。
【０１１０】
なお上記光増幅器の一例は、後述する図９および図１０において、参照番号２２にて示す。
【０１１１】
上記第１の対策の場合、上記ＡＬＣ制御の応答速度よりも速い速度でパワー変位を生じさせれば、このパワー変位にそのＡＬＣ制御が及ばず、パワー変位が小さくなってしまうことはない。
【０１１２】
一方上記第２の対策の場合、上記ＡＧＣ制御の応答速度よりも遅い速度でパワー変位を生じさせれば、このパワー変位にそのＡＧＣ制御が及び、パワー変位が小さくなってしまうことはない。
【０１１３】
さらに第３の対策としては、ＶＯＡ（Voviable Optical Attenuator）を用いて、消失しようとする光パワー変位を回復させることができる。これを図で示す。
【０１１４】
図９はＶＯＡを用いた光パワー変位回復例（その１）を示す図であり、
図１０はＶＯＡを用いた光パワー変位の回復例（その２）を示す図である。この図１０のノードは、前述した光方路切替ノード３に相当する。一方図９のノードはいわゆる光信号の光増幅中継ノードに相当し、ノード２およびノード３の間の光伝送路５および隣接するノード３の間の光伝送路５に適宜挿入される。
【０１１５】
図９において、参照番号２１は上述した光増幅中継ノードであり、光入力（Ｓ）は、図中２段の光増幅器２２と必要に応じてＤＣＭ（Dispersion Compensation Module）とを通して再生光出力（Ｓ）となり次ノードに送出される。この場合、光分岐器（入力側と出力側）にて光信号を分岐してその光パワーを光パワーモニタ２３に入力する。ここで検出した光パワーに応じて、ＶＯＡ制御器２４を介し、上記のＶＯＡ（入力側と出力側）を制御し、光パワー変位を再生する。このことは図１０に示す、光方路切替器（図１９の光スイッチ８と同じ）を有する光方路切替ノード３においても同様である。
【０１１６】
さらに詳しく説明すると、入力側光増幅器２２の入力端でＷＤＭ信号である光信号Ｓの光パワーを測定し、上記光パワー変位の有無を認識する。有と認識したら、ＮＭＳ４または、ノード（２１，３）内の管理機能であるＥＭＳ（Equipment Management System）（図示せず）に、その光パワー変位を通知する。ここで、光パワー変位の速度は、上述したとおり、ＡＬＣ制御の応答速度より十分小さい値であり、光増幅器２２の出力端において該ＷＤＭ信号Ｓの光パワーは変位しない。そして、ＮＭＳ４または上記ＥＭＳから、光パワー変位を維持するための制御命令を受けたら、入力側光増幅器２２の出力端にあるＶＯＡを用いて、ＷＤＭ信号Ｓの光パワーを制御する。この制御と同様の制御は、出力側においても行われる。
【０１１７】
上記のように光パワー変位を用いて波長パスの接続確認および追跡を実行するとき、少なからず伝送特性が劣化する。この性質を逆に利用して、光受信端局のノード２（ＲＸ）において、ＳＯＮＥＴ／ＳＤＨのＢ１，Ｂ２バイトやDigital Wrapper（ＤＷ）のForward Error Correction（ＦＥＣ）の誤り訂正数などを用いて、光パワー変位の有無による光信号伝送特性の劣化を監視することができる。またこの監視情報をもとに、現在の光ネットワークシステム１のマージンを監視したり、あるいは、本監視情報の履歴により、障害発生の予兆を検出することも可能である。
【０１１８】
本発明においては、上述したとおり、光信号Ｓの基本的な光伝送特性の１つ（またはその２以上の組合せ）に対して一時的な変位を与えることが重要な点であるので、その変位付与の具体例を、光パワー変位、波長変位、偏波変位および雑音光パワー変位の順に、以下に示す。
【０１１９】
図１１は光パワー変位付与手段の一例を示す図であり、前述した変位（光パワー変位）生成手段１１を含む光送信ノード２（ＴＸ）に相当する。
【０１２０】
本図において、３１は光源（ＬＤ）を内蔵した送信機であり、図示の例では４つの波長の各々に対応させて４つの送信機（１〜４）が記載されている。いずれの送信機をオンにすべきかを、例えばＮＭＳ４から指令されると、これに従って送信機光源制御器３２が、点線の制御線を介し、対応する送信機を駆動する。さらに、これら送信機３１からの各波長の光信号は合波器３５にて合波され、１本の光ファイバに収容されたＷＤＭ光信号Ｓとして次ノードに送出される。
【０１２１】
本図において、変位生成手段１１は光パワー変位付与手段を構成しており該付与手段は、各送信機（３１）対応のＶＯＡ３３と、各ＶＯＡ３３を、点線の制御線を介して個別に制御するＶＯＡ制御器３４とから構成される。その光パワー変位の様子を図で示す。
【０１２２】
図１２は光パワー変位の第１例（ａ）および第２例（ｂ）を表す図である。本図の各グラフの縦軸には光パワーをとり、横軸には時間をとって示す。図１１および図１２（ａ）を参照すると、ＶＯＡ制御器３４は、通常時においては、ＶＯＡ３３により所定の損失（Ｌ１）を送信機３１からの光出力に与えていて、ＮＭＳ４から光パワー変位生成指令が出されるとこれを受けて、ＶＯＡ３３に対しそのＬ１より大きい損失（Ｌ２）を該光出力に与える。
【０１２３】
光パワー変位の付与の仕方は上記と逆でもよく、図１２（ｂ）に示すようにＶＯＡ制御器３４は、通常時においては、ＶＯＡ３３により所定の損失（Ｌ１）を送信機３１からの光出力に与えていて、ＮＭＳ４から光パワー変位生成指令が出されるとこれを受けて、ＶＯＡ３３に対しそのＬ１より小さい損失（Ｌ３）を該光出力に与えるようにすることもできる。
【０１２４】
図１３は波長変位付与手段の一例を示す図であり、前述した変位（波長変位）生成手段１１を含む光送受信ノード２（ＴＸ）に相当する。
【０１２５】
前述のとおり各送信機３１はＬＤを内蔵しているが、このＬＤ（Laser Diode）の光出力は温度依存性があり、温度の変化に伴ってその光出力の波長も変化する。このことを利用して、送信機光源制御器３２は、点線の制御線を介し対応する光源の温度を変更する。例えば、ある送信機３１−２に関し、通常時はλ１であったＬＤの光出力の波長を、微小波長変位量Δλだけ変位させる。この場合、図１２（ａ），（ｂ）と同様、波長の大小はλ１＞λ１＋Δλでもよいしまたλ１＜λ１＋Δλでもよい。
【０１２６】
なお、この波長変位は各ノードの変位検出手段１２で検出するが、この手段１２は既述のＯＳＭ７により実現できる。
【０１２７】
図１４は偏波変位付与手段（ａ）および偏波変位検出手段（ｂ）の一例を示す図であり、（ａ）は前述した変位（偏波変位）生成手段１１を含む光送受信ノード２（ＴＸ）に相当する。一方（ｂ）は、例えば光方路切替ノード３内に設けられた前述の変位（偏波変位）検出手段１２に相当する。
【０１２８】
図１４（ａ）において、変位（偏波変位）生成手段１１は、各送信機（３１）対応に設けられた偏波制御部４１と、これら偏波制御部４１を、点線の制御線を介し個別に制御する偏波制御部用制御器４２とから構成される。
【０１２９】
上記の偏波制御部４１は１／４波長板と１／２波長板とを組み合わせることで、光波の偏光状態を任意に制御する素子である。市販品の一例としては、
・応用光電社製  小型電動偏波コントローラ（ＰＳＡ−５０００）
・Agilent Technology社製  ８１６９Ａ  光偏波コントローラ
がある。例えば、ある送信機３１−２に関し、通常時は、例えば直線偏光の角度がθ１の偏光状態（Ｐ１）を、変位時において同角度θ２の偏光状態（Ｐ２）に微小に変位させる。
【０１３０】
一方図１４（ｂ）の変位検出手段１２は、新たに導入した偏光子４３と、既述のＯＳＭ７とから構成する。偏光子４３は固定の直線偏光角度（θ０）を有しており、偏光角度が上記のθ１からθ２に変更されると、該偏光子４３を通過する光信号Ｓの光パワーが変化する。この光パワーの変化をＯＳＭ７で検出することにより、偏波変位を捉えることができる。すなわち、偏波変調から光パワー変調に変換した光パワーの変位を検出する。この手法では光パワーそのものを直接変位させていないから、光信号Ｓの伝送特性を劣化させることは殆どない。
【０１３１】
図１５は雑音光パワー変位付与手段の一例を示す図であり、前述した変位（雑音光パワー変位）生成手段１１を含む光送受信ノード２（ＴＸ）に相当する。なお、本図の光信号Ｓは図１４に示す複数の送信機３１（１〜４）のうちの任意の１つからの光出力である。
【０１３２】
本図の光信号Ｓに、光分岐器を介して雑音光パワーを付加すると、ＯＳＮＲ（Optical Signal to Noise Ratio）が変位する。このＯＳＮＲの変位は、前記の変位検出手段１２で検出可能であり、この場合、該手段１２を既述のＯＳＭ７で構成することができる。一般にＯＳＭ７はＯＳＮＲの変化を捉えることもできる。
【０１３３】
図１５を参照すると、上記の雑音光は例えばＡＳＥ（Amplified Spontaneous Emission）発生光源５１から得られる。光信号Ｓの光パワーは一定に維持されているから、その雑音光パワーのレベルを調整すれば、所望のＯＳＮＲの変位を生成することができる。この場合の雑音光パワーレベルの調整は、前述したＶＯＡ３３とＶＯＡ制御器３４（図１１）により行うことができる。
【０１３４】
以上本発明に係る光ネットワークシステム１の全体的な構成について説明してきたが、該システム１を構成する光送受信ノード２、光方路切替ノード３およびＮＭＳ４の個別の構成についても本発明の特徴が見出される。以下のとおりである。
【０１３５】
まず光送受信ノード２について見てみると、この光送受信ノード２は、光信号Ｓの光方路を切り替える光方路切替ノード３と、各ノード（２，３）およびノード間を接続する光伝送路５を統合管理するＮＭＳ４とを備えてなる光ネットワークシステム１内にあって、送信される光信号Ｓに対し、ＮＭＳ４からの指令に応じて、その光伝送特性を一時的に変位させる変位生成手段１１を備えることを特徴とするものである。ここにその光伝送特性は、光パワー、波長、偏波および雑音光パワー、の各特性のうちの少なくとも１つである。
【０１３６】
またＡＬＣ制御で動作する光増幅器（２２）がシステム１内に存在すると共に、変位生成手段１１が光伝送特性の変位として光パワーの変位を生成する手段であるとき、この変位生成手段は、該ＡＬＣ制御の応答速度よりも速い速度でその変位を生成するか、あるいは上記の光増幅器（２２）をＡＬＣ制御からＡＧＣ制御に切り替えると共に、このＡＧＣ制御の応答速度よりも遅い速度で上記の変位を生成する。
【０１３７】
次に光方路切替ノード３について見てみると、この光方路切替ノード３は、光送受信ノード２と、各ノード（２，３）およびノード間を接続する光伝送路５を統合管理するＮＭＳ４とを備えてなる光ネットワークシステム１内にあって、光信号Ｓを受信した光方路切替ノード３における複数の入力ポート９および出力ポート１０に、光信号Ｓの伝送特性の一時的な変位が現れるか否かを検出する変位検出手段１２を備えることを特徴とするものである。ここにその光伝送特性は、光パワー、波長、偏波および雑音光パワー、の各特性のうちの少なくとも１つである。
【０１３８】
また該ノード３は、上記の変位検出手段１２による変位検出結果をＮＭＳ４に対して転送する転送部１７を備える。
【０１３９】
さらにネットワークマネジメントシステム（ＮＭＳ）４について見てみると、このＮＭＳ４は、光送受信ノード２と、光方路切替ノード３とを備え、かつ、光方路切替ノード３はその複数の入力ポート９および出力ポート１０において光信号Ｓの伝送特性の一時的な変位が現れるか否かを検出するようにした光ネットワークシステム１内にあって、波長パス監視手段１３を有し、該手段１３は、ネットワーク構成情報をもとに、監視対象とする波長パスが通過する被監視光方路切替ノード３とその入力ポート９および出力ポート１０のみを抽出すると共に、抽出された各被監視光方路切替ノード３について上記の変位の検出結果に基づいて、当該入力ポートおよび出力ポートの全てにその変位が現れたことを確認して、当該監視対象波長パスの接続確認ならびに追跡を実行することを特徴とするものである。ここに波長パス監視手段１３は、上記の抽出した被監視光方路切替ノード３とその入力ポート９および出力ポート１０を記録して保存する監視テーブル１５（Ｉ）を有し、さらに、各被監視光方路切替ノード３に対して上記の変位の検出結果を報告すべきことを通知する通知部１６を有する。
【０１４０】
また別の形態のＮＭＳ４は上述の光ネットワークシステム１内にあって、別の形態の波長パス監視手段１３を有し、該手段１３は、監視対象とする波長パスを決定し決定された波長パスの送信端局となる光送受信ノード２にて上記の変位を生じさせ、全ての光方路切替ノード３から通知された上記の変位の検出結果に基づいて、その波長パスが通過する全ての光方路切替ノード３を特定することにより、当該監視対象波長パスの接続確認ならびに追跡を実行することを特徴とするものでありここに、波長パス監視手段１３はさらに、上記の変位をそれぞれ検出した検出開始時刻の情報を収集し、これらの検出開始時刻の先後から、各光方路切替ノード３の当該波長パスに沿った接続順序を決定して、波長パス確認ならびに追跡を実行する。
【０１４１】
この波長パス監視手段１３は、監視対象となる光方路切替ノード３と変位の検出開始時刻とを対応させた監視テーブル１５（II）を有し、これらの光方路切替ノード３に対して上記変位の検出結果を報告すべきことを通知する通知部１６を有し、各光方路切替ノード３内における時刻と、波長パス監視手段１３内における時刻との間の同期をとる時刻同期手段１９を備える。さらに好ましくは、光信号Ｓの波長は相互に同一であるがそれぞれの光方路は相互に異なるような複数の波長パスが存在するときに、これらの波長パスに与える上述の変位を同時には生じさせないように管理する管理部１８を有する。
【０１４２】
以上詳述した本発明に基づく実施の態様は、以下の付記のとおりである。
（付記１）
光信号の光送受信端局をなす光送受信ノードと、該光信号の光方路を切り替える光方路切替ノードと、これらのノードおよびこれらのノード間を接続する光伝送路を統合管理するネットワークマネジメントシステムと、を備えてなる光ネットワークシステムにおいて、
前記光送受信ノードから送信される前記光信号に対しその光伝送特性を一時的に変位させる変位生成手段と、
各前記光方路切替ノードにおける複数の入力ポートおよび出力ポートにおいて前記光伝送特性の変位が現れたか否かを検出する変位検出手段と、
前記ネットワークマネジメントシステムが保持するネットワーク構成情報をもとに監視対象とする波長パスが通過する被監視光方路切替ノードとその入力ポートおよび出力ポートのみを抽出すると共に、抽出された各該被監視光方路切替ノードについて前記変位検出手段により得た変位検出結果に基づいて、当該入力ポートおよび出力ポートの全てに該変位が現れたことを確認して、当該監視対象波長パスの接続確認ならびに追跡を実行する波長パス監視手段と、
を備えることを特徴とする光ネットワークシステム。
【０１４３】
（付記２）
前記光伝送特性は、前記光信号が有する、（ａ）光パワー、（ｂ）波長、（ｃ）偏波および（ｄ）雑音光パワー、の各特性のうちの少なくとも１つであって、前記変位生成手段はそれぞれ、（ａ）光パワー変位手段、（ｂ）波長変位手段、（ｃ）偏波変位手段および（ｄ）雑音光パワー変位手段のうちの少なくとも１つであることを特徴とする付記１に記載の光ネットワークシステム。
【０１４４】
（付記３）
前記波長パス監視手段は、前記の抽出した被監視光方路切替ノードとその入力ポートおよび出力ポートを記録して保存する監視テーブルを有することを特徴とする付記１に記載の光ネットワークシステム。
【０１４５】
（付記４）
前記波長パス監視手段は、各前記被監視光方路切替ノードに対して前記変位検出結果を報告すべきことを通知する通知部を有することを特徴とする付記１に記載の光ネットワークシステム。
【０１４６】
（付記５）
前記光方路切替ノードは、前記ネットワークマネジメントシステムに対して前記変位検出結果を転送する転送部を備えることを特徴とする付記１に記載の光ネットワークシステム。
【０１４７】
（付記６）
光信号の光送受信端局をなす光送受信ノードと、該光信号の光方路を切り替える光方路切替ノードと、これらのノードおよびこれらのノード間を接続する光伝送路を統合管理するネットワークマネジメントシステムと、を備えてなる光ネットワークシステムにおいて、
前記光送受信ノードから送信される前記光信号に対しその光伝送特性を一時的に変位させる変位生成手段と、
各前記光方路切替ノードにおける複数の入力ポートおよび出力ポートにおいて前記光伝送特性の変位が現れたか否かを検出する変位検出手段と、
前記ネットワークマネジメントシステムにおいて、監視対象とする波長パスを決定し決定された該波長パスの送信端局となる前記光送受信ノードにて前記変位生成手段を起動させ、全ての前記光方路切替ノードから通知された前記変位検出手段による変位検出結果に基づいて、該波長パスが通過する全ての光方路切替ノードを特定することにより、当該監視対象波長パスの接続確認ならびに追跡を実行する波長パス監視手段と、
を備えることを特徴とする光ネットワークシステム。
【０１４８】
（付記７）
前記光伝送特性は、前記光信号が有する、（ａ）光パワー、（ｂ）波長、（ｃ）偏波および（ｄ）雑音光パワー、の各特性のうちの少なくとも１つであって、前記変位生成手段はそれぞれ、（ａ）光パワー変位手段、（ｂ）波長変位手段、（ｃ）偏波変位手段および（ｄ）雑音光パワー変位手段のうちの少なくとも１つであることを特徴とする付記６に記載の光ネットワークシステム。
【０１４９】
（付記８）
前記波長パス監視手段は、各前記変位検出手段による前記変位の検出開始時刻の情報を収集し、これらの検出開始時刻の先後から、前記の特定された光方路切替ノードの当該波長パスに沿った接続順序を決定して、前記の波長パスの接続確認ならびに追跡を実行することを特徴とする付記６に記載の光ネットワークシステム。
【０１５０】
（付記９）
前記波長パス監視手段は、前記の特定された光方路切替ノードと前記変位の検出開始時刻とを対応させた監視テーブルを有することを特徴とする付記８に記載の光ネットワークシステム。
【０１５１】
（付記１０）
前記波長パス監視手段は、各前記被監視光方路切替ノードに対して前記変位検出結果を報告すべきことを通知する通知部を有することを特徴とする付記６に記載の光ネットワークシステム。
【０１５２】
（付記１１）
前記光方路切替ノードは、前記ネットワークマネジメントシステムに対して前記変位検出結果を転送する転送部を備えることを特徴とする付記６に記載の光ネットワークシステム。
【０１５３】
（付記１２）
各前記光方路切替ノード内における時刻と、前記波長パス監視手段内における時刻との間の同期をとる時刻同期手段を備えることを特徴とする付記８に記載の光ネットワークシステム。
【０１５４】
（付記１３）
前記光信号を増幅すると共にＡＬＣ制御で動作する光増幅器を前記光ネットワークシステム内に有し、かつ、前記変位生成手段が前記光伝送特性の変位として光パワーの変位を生成する手段であるとき、該変位生成手段は、前記ＡＬＣ制御の応答速度よりも速い速度で該変位を生成することを特徴とする付記１または６に記載の光ネットワークシステム。
【０１５５】
（付記１４）
前記光信号を増幅すると共にＡＬＣ制御で動作する光増幅器を前記光ネットワークシステム内に有し、かつ、前記変位生成手段が前記光伝送特性の変位として光パワーの変位を生成する手段であるとき、前記波長パス監視手段の動作開始時に前記光増幅器を前記ＡＬＣ制御からＡＧＣ制御に切り替えると共に、前記変位生成手段は、該ＡＧＣ制御の応答速度よりも遅い速度で該変位を生成することを特徴とする付記１または６に記載の光ネットワークシステム。
【０１５６】
（付記１５）
各前記波長パス上をそれぞれ転送される前記光信号の波長は相互に同一であるがそれぞれの光方路は相互に異なるような複数の波長パスが前記光ネットワークシステム内に存在するとき、これらの波長パスに与える前記の変位を同時には生じさせないように管理する管理部を前記ネットワークマネジメントシステム内にさらに有することを特徴とする付記１または６に記載の光ネットワークシステム。
【０１５７】
（付記１６）
光信号の光送受信端局をなす光送受信ノードと、該光信号の光方路を切り替える光方路切替ノードと、これらのノードおよびこれらのノード間を接続する光伝送路を統合管理するネットワークマネジメントシステムとを備えてなる光ネットワークシステム内の前記光送受信ノードであって、
送信される前記光信号に対し、前記ネットワークマネジメントシステムからの指令に応じて、その光伝送特性を一時的に変位させる変位生成手段を備えることを特徴とする光送受信ノード。
【０１５８】
（付記１７）
前記光伝送特性は、前記光信号が有する、（ａ）光パワー、（ｂ）波長、（ｃ）偏波および（ｄ）雑音光パワー、の各特性のうちの少なくとも１つであって、前記変位生成手段はそれぞれ、（ａ）光パワー変位手段、（ｂ）波長変位手段、（ｃ）偏波変位手段および（ｄ）雑音光パワー変位手段のうちの少なくとも１つであることを特徴とする付記１６に記載の光送受信ノード。
【０１５９】
（付記１８）
前記光信号を増幅すると共にＡＬＣ制御で動作する光増幅器を前記光ネットワークシステム内に有し、かつ、前記変位生成手段が前記光伝送特性の変位として光パワーの変位を生成する手段であるとき、該変位生成手段は、前記ＡＬＣ制御の応答速度よりも速い速度で該変位を生成することを特徴とする付記１６に記載の光送受信ノード。
【０１６０】
（付記１９）
前記光信号を増幅すると共にＡＬＣ制御で動作する光増幅器を前記光ネットワークシステム内に有し、かつ、前記変位生成手段が前記光伝送特性の変位として光パワーの変位を生成する手段であるとき、前記変位生成手段は、前記光増幅器を前記ＡＬＣ制御からＡＧＣ制御に切り替えると共に、該ＡＧＣ制御の応答速度よりも遅い速度で該変位を生成することを特徴とする付記１６に記載の光送受信ノード。
【０１６１】
（付記２０）
光信号の光送受信端局をなす光送受信ノードと、該光信号の光方路を切り替える光方路切替ノードと、これらのノードおよびこれらのノード間を接続する光伝送路を統合管理するネットワークマネジメントシステムとを備えてなる光ネットワークシステム内の前記光方路切替ノードであって、
前記光信号を受信した前記光方路切替ノードにおける複数の入力ポートおよび出力ポートに、該光信号の伝送特性の一時的な変位が現れるか否かを検出する変位検出手段を備えることを特徴とする光方路切替ノード。
【０１６２】
（付記２１）
前記光伝送特性は、前記光信号が有する、（ａ）光パワー、（ｂ）波長、（ｃ）偏波および（ｄ）雑音光パワー、の各特性のうちの少なくとも１つであることを特徴とする付記２０に記載の光方路切替ノード。
【０１６３】
（付記２２）
前記変位検出手段による変位検出結果を前記ネットワークマネジメントシステムに対して転送する転送部を備えることを特徴とする付記２０に記載の光方路切替ノード。
【０１６４】
（付記２３）
光信号の光送受信端局をなす光送受信ノードと、該光信号の光方路を切り替える光方路切替ノードと、これらのノードおよびこれらのノード間を接続する光伝送路を統合管理するネットワークマネジメントシステムとを備え、かつ、該光方路切替ノードはその複数の入力ポートおよび出力ポートにおいて該光信号の伝送特性の一時的な変位が現れるか否かを検出するようにした光ネットワークシステム内の前記ネットワークマネジメントシステムであって、
予め保持するネットワーク構成情報をもとに監視対象とする波長パスが通過する被監視光方路切替ノードとその入力ポートおよび出力ポートのみを抽出すると共に、抽出された各該被監視光方路切替ノードについて前記変位の検出結果に基づいて、当該入力ポートおよび出力ポートの全てに該変位が現れたことを確認して、当該監視対象波長パスの接続確認ならびに追跡を実行する波長パス監視手段を備えることを特徴とするネットワークマネジメントシステム。
【０１６５】
（付記２４）
前記波長パス監視手段は、前記の抽出した被監視光方路切替ノードとその入力ポートおよび出力ポートを記録して保存する監視テーブルを有することを特徴とする付記２３に記載のネットワークマネジメントシステム。
【０１６６】
（付記２５）
前記波長パス監視手段は、各前記被監視光方路切替ノードに対して前記変位の検出結果を報告すべきことを通知する通知部を有することを特徴とする付記２３に記載のネットワークマネジメントシステム。
【０１６７】
（付記２６）
光信号の光送受信端局をなす光送受信ノードと、該光信号の光方路を切り替える光方路切替ノードと、これらのノードおよびこれらのノード間を接続する光伝送路を統合管理するネットワークマネジメントシステムとを備え、かつ、該光送受信ノードは送信する前記光信号の光伝送特性を一時的に変位させると共に該光方路切替ノードはその複数の入力ポートおよび出力ポートにおいて該変位が現れるか否かを検出するようにした光ネットワークシステム内の前記ネットワークマネジメントシステムであって、
前記光ネットワークシステム内において監視対象とする波長パスを決定し決定された該波長パスの送信端局となる前記光送受信ノードにて前記変位を生じさせ、全ての前記光方路切替ノードから通知された前記変位の検出結果に基づいて、該波長パスが通過する全ての光方路切替ノードを特定することにより、当該監視対象波長パスの接続確認ならびに追跡を実行する波長パス監視手段を備えることを特徴とするネットワークマネジメントシステム。
【０１６８】
（付記２７）
前記波長パス監視手段は、前記変位をそれぞれ検出した検出開始時刻の情報を収集し、これらの検出開始時刻の先後から、前記の特定された光方路切替ノードの当該波長パスに沿った接続順序を決定して、前記の波長パス確認ならびに追跡を実行することを特徴とする付記２６に記載のネットワークマネジメントシステム。
【０１６９】
（付記２８）
前記波長パス監視手段は、前記の特定された光方路切替ノードと前記変位の検出開始時刻とを対応させた監視テーブルを有することを特徴とする付記２７に記載のネットワークマネジメントシステム。
【０１７０】
（付記２９）
前記波長パス監視手段は、監視対象となる各前記光方路切替ノードに対して前記変位の検出結果を報告すべきことを通知する通知部を有することを特徴とする付記２６に記載のネットワークマネジメントシステム。
【０１７１】
（付記３０）
各前記光方路切替ノード内における時刻と、前記波長パス監視手段内における時刻との間の同期をとる時刻同期手段を備えることを特徴とする付記２７に記載のネットワークマネジメントシステム。
【０１７２】
（付記３１）
各前記波長パス上をそれぞれ転送される前記光信号の波長は相互に同一であるがそれぞれの光方路は相互に異なるような複数の波長パスが前記光ネットワークシステム内に存在するとき、これらの波長パスに与える前記の変位を同時には生じさせないように管理する管理部をさらに有することを特徴とする付記２３または２６に記載のネットワークマネジメントシステム。
【産業上の利用可能性】
【０１７３】
光ネットワークシステムにおいて、光送受信ノード２（ＴＸ）および２（ＲＸ）の間に張られる波長パスについて、その波長パスの接続確認と追跡とを、（ｉ）高速に、（ii）専用の特別の装置を要することなく、（iii）小規模かつ低コストにて、（iv）伝送フォーマットや各種ベンダ装置の仕様によって制約を受けることなく、実行したいといった要求に対して、本発明は有効な波長パス監視手段を提供する。
【図面の簡単な説明】
【０１７４】
【図１】本発明に係る光ネットワークシステムの基本機能を表すブロック図である。
【図２】本発明に係る第１および第２の形態に共通の実現手段を示す図である。
【図３】本発明に基づく、第１の形態における波長パス監視の一実施例を示す図である。
【図４】図３のモデルにおける波長パスの追跡手順を示すフローチャートである。
【図５】障害点検出の第１例を示す図である。
【図６】障害点検出の第２例を示す図である。
【図７】本発明に基づく、第２の形態における波長パス監視の一実施例を示す図である。
【図８】図７のモデルにおける波長パスの追跡手順を示すフローチャートである。
【図９】ＶＯＡを用いた光パワー変位の回復例（その１）を示す図である。
【図１０】ＶＯＡを用いた光パワー変位の回復例（その２）を示す図である。
【図１１】光パワー変位付与手段の一例を示す図である。
【図１２】光パワー変位の第１例（ａ）および第２例（ｂ）を表す図である。
【図１３】波長変位付与手段の一例を示す図である。
【図１４】偏波変位付与手段（ａ）および偏波変位検出手段（ｂ）の一例を示す図である。
【図１５】雑音光パワー変位付与手段の一例を示す図である。
【図１６】電気交換機を適用した従来の光通信システムの一構成例を示す図である。
【図１７】光方路切替ノードを適用した光ネットワークシステムの一構成例を示す図である。
【図１８】本発明の前提をなす、ＮＭＳを用いた公知の光ネットワークシステムの一構成例を示す図である。
【図１９】ＯＳＭを用いた波長パス監視の一例を示す図である。
【図２０】波長パスの正しい接続例（ａ）、接続誤りが発生する場合の２つの例（ｂ），（ｃ）を示す図である。
【符号の説明】
【０１７５】
１    光ネットワークシステム
２    光送受信ノード
３    光方路切替ノード
４    ネットワークマネジメントシステム（ＮＭＳ）
５    光伝送路（光ファイバ）
７    光スペクトルモニタ（ＯＳＭ）
８    光スイッチ（ＳＷ）
９    入力ポート
１０    出力ポート
１１    変位生成手段
１２    変位検出手段
１３    波長パス監視手段
１５（Ｉ），１５（II）    監視テーブル
１６    通知部
１７    転送部
１８    管理部
１９    時刻同期手段
２１    光増幅中継ノード
２２    光増幅器
２３    光パワーモニタ
２４    ＶＯＡ制御器
３１    送信機
３２    送信機光源制御器
３３    ＶＯＡ
３４    ＶＯＡ制御器
３５    合波器
４１    偏波制御部
４２    偏波制御部用制御器
４３    偏光子
５１    ＡＳＥ発生光源
【図１】
2006050143.tif 000003
【図２】
2006050143.tif 000004
【図３】
2006050143.tif 000005
【図４】
2006050143.tif 000006
【図５】
2006050143.tif 000007
【図６】
2006050143.tif 000008
【図７】
2006050143.tif 000009
【図８】
2006050143.tif 000010
【図９】
2006050143.tif 000011
【図１０】
2006050143.tif 000012
【図１１】
2006050143.tif 000013
【図１２】
2006050143.tif 000014
【図１３】
2006050143.tif 000015
【図１４】
2006050143.tif 000016
【図１５】
2006050143.tif 000017
【図１６】
2006050143.tif 000018
【図１７】
2006050143.tif 000019
【図１８】
2006050143.tif 000020
【図１９】
2006050143.tif 000021
【図２０】
2006050143.tif 000022